【手続補正書】
【提出日】平成28年1月21日(2016.1.21)
【手続補正１】
【補正対象書類名】特許請求の範囲
【補正対象項目名】全文
【補正方法】変更
【補正の内容】
【特許請求の範囲】
【請求項１】
診療記録を格納した診療記録送信装置が実行する、前記診療記録送信装置から受診者のモバイル機器に前記受診者の診療記録を転送する方法であって、
前記診療記録を表示するためのリーダソフトウェアがインストールされた前記モバイル機器を特定するための装置情報が受診者情報データベースに登録されているか否かを確認するステップと、
前記装置情報が前記受診者情報データベースに登録されている場合に、前記診療記録送信装置から前記モバイル機器に、前記受診者の診療記録を転送するステップと、
前記受診者の診療記録を転送した後に、前記受診者の診療記録を転送したことを示す情報を付して、前記診療記録を保存する診療記録データベースを更新するステップと、
を有する診療記録転送方法。
【請求項２】
前記モバイル機器が、前記装置情報の登録を要求する登録要求情報を前記診療記録送信装置に送信するステップと、
前記診療記録送信装置が、前記登録要求情報を受信すると、前記モバイル機器の受診者情報及び前記装置情報を前記受診者情報データベースに保存するステップと、
を有する請求項１に記載の診療記録転送方法。
【請求項３】
前記確認するステップの前に、前記モバイル機器にリーダソフトウェアがイントールされていない場合に、前記モバイル機器が前記診療記録送信装置又は所定のサーバから前記リーダソフトウェアをインストールするステップを有する、
請求項１又は２に記載の診療記録転送方法。
【請求項４】
前記診療記録送信装置が、医療機関に設置された状態で、前記受診者の操作を受け付けるステップと、
前記診療記録送信装置が、前記受診者に情報を表示するステップと、
を有する、
請求項１から３のいずれか１項に記載の診療記録転送方法。
【請求項５】
前記装置情報が前記受診者情報データベースに登録されていない場合に、前記診療記録送信装置が前記受診者に前記装置情報を登録することを誘導する画面を表示するステップを有する、
請求項１から４のいずれか１項に記載の診療記録転送方法。
【請求項６】
前記受診者の診療記録を転送するステップの後に、前記モバイル機器が前記リーダソフトウェアによって前記診療記録を表示するステップをさらに有する、
請求項１から５のいずれか１項に記載の診療記録転送方法。
【請求項７】
診療記録を格納した診療記録送信装置から受診者のモバイル機器に、前記受診者の診療記録を転送する診療記録送信装置であって、
前記モバイル機器を特定するための装置情報が受診者情報データベースに登録されているか否かを確認し、前記装置情報が前記受診者情報データベースに登録されている場合に、前記診療記録送信装置から前記モバイル機器に、前記受診者の診療記録を転送した後に、前記受診者の診療記録を転送したことを示す情報を付して、前記診療記録を保存する診療記録データベースを更新する診療記録管理部を有する診療記録送信装置。
【請求項８】
前記モバイル機器から前記装置情報の登録を要求する登録要求情報を受信すると、前記モバイル機器の受診者情報及び前記装置情報を前記受診者情報データベースに保存する受診者情報管理部をさらに有する、
請求項７に記載の診療記録送信装置。
【請求項９】
医療機関に設置された状態で前記受診者の操作を受け付ける入力部と、
前記受診者に情報を表示する表示部と、
をさらに有する、
請求項７又は８に記載の診療記録送信装置。
【請求項１０】
前記表示部は、前記装置情報が前記受診者情報データベースに登録されていない場合に、前記診療記録送信装置が前記受診者に前記装置情報を登録することを誘導する画面を表示する、
請求項９に記載の診療記録送信装置。
【請求項１１】
サーバから取得した診療記録を受診者のモバイル機器に転送するライタソフトウェアがインストールされた診療記録送信装置から受診した前記診療記録を保存する受信診療記録データベースと、
前記受信診療記録データベースに保存された前記診療記録を検索し、検索した前記診療記録を表示部に表示させるリーダソフトウェアと、
を有する診療記録受信装置。
【請求項１２】
前記リーダソフトウェアがイントールされていない場合に、前記診療記録送信装置又は所定のサーバから前記リーダソフトウェアをインストールするソフトウェアダウンロード部をさらに有する、
請求項１１に記載の診療記録受信装置。
【請求項１３】
診療記録を格納した診療記録送信装置と、受診者が自身の前記診療記録を参照するための診療記録受信装置と、を備える診療記録管理システムであって、
前記診療記録送信装置は、
前記診療記録受信装置を特定するための装置情報が受診者情報データベースに登録されているか否かを確認し、前記装置情報が前記受診者情報データベースに登録されている場合に、前記診療記録送信装置から前記診療記録受信装置に、前記受診者の診療記録を転送した後に、前記受診者の診療記録を転送したことを示す情報を付して、前記診療記録を保存する診療記録データベースを更新する診療記録管理部を有し、
前記診療記録受信装置は、
前記診療記録送信装置から受診した前記診療記録を保存する受信診療記録データベースと、
前記受信診療記録データベースに保存された前記診療記録を検索し、検索した前記診療記録を表示部に表示させるリーダソフトウェアと、
を有する診療記録管理システム。
【手続補正２】
【補正対象書類名】明細書
【補正対象項目名】発明の名称
【補正方法】変更
【補正の内容】
【発明の名称】診療記録転送方法、診療記録送信装置、診療記録受信装置及び診療記録管理システム
【手続補正３】
【補正対象書類名】明細書
【補正対象項目名】０００７
【補正方法】変更
【補正の内容】
【０００７】
本発明の第１の態様においては、診療記録を格納した診療記録送信装置が実行する、前記診療記録送信装置から受診者のモバイル機器に前記受診者の診療記録を転送する方法であって、前記診療記録を表示するためのリーダソフトウェアがインストールされた前記モバイル機器を特定するための装置情報が受診者情報データベースに登録されているか否かを確認するステップと、前記装置情報が前記受診者情報データベースに登録されている場合に、前記診療記録送信装置から前記モバイル機器に、前記受診者の診療記録を転送するステップと、前記受診者の診療記録を転送した後に、前記受診者の診療記録を転送したことを示す情報を付して、前記診療記録を保存する診療記録データベースを更新するステップと、を有する診療記録転送方法を提供する。
【手続補正４】
【補正対象書類名】明細書
【補正対象項目名】０００８
【補正方法】変更
【補正の内容】
【０００８】
前記モバイル機器が、前記装置情報の登録を要求する登録要求情報を前記診療記録送信装置に送信するステップと、前記診療記録送信装置が、前記登録要求情報を受信すると、前記モバイル機器の受診者情報及び前記装置情報を前記受診者情報データベースに保存するステップと、を有してもよい。
【手続補正５】
【補正対象書類名】明細書
【補正対象項目名】０００９
【補正方法】変更
【補正の内容】
【０００９】
前記確認するステップの前に、前記モバイル機器にリーダソフトウェアがイントールされていない場合に、前記モバイル機器が前記診療記録送信装置又は所定のサーバから前記リーダソフトウェアをインストールするステップを有してもよい。
【手続補正６】
【補正対象書類名】明細書
【補正対象項目名】００１０
【補正方法】変更
【補正の内容】
【００１０】
前記診療記録送信装置が、医療機関に設置された状態で、前記受診者の操作を受け付けるステップと、前記診療記録送信装置が、前記受診者に情報を表示するステップと、を有してもよい。前記装置情報が前記受診者情報データベースに登録されていない場合に、前記診療記録送信装置が前記受診者に前記装置情報を登録することを誘導する画面を表示するステップを有してもよい。前記受診者の診療記録を転送するステップの後に、前記モバイル機器が前記リーダソフトウェアによって前記診療記録を表示するステップをさらに有してもよい。
【手続補正７】
【補正対象書類名】明細書
【補正対象項目名】００１１
【補正方法】変更
【補正の内容】
【００１１】
本発明の第２の態様においては、診療記録を格納した診療記録送信装置から受診者のモバイル機器に、前記受診者の診療記録を転送する診療記録送信装置であって、前記モバイル機器を特定するための装置情報が受診者情報データベースに登録されているか否かを確認し、前記装置情報が前記受診者情報データベースに登録されている場合に、前記診療記録送信装置から前記モバイル機器に、前記受診者の診療記録を転送した後に、前記受診者の診療記録を転送したことを示す情報を付して、前記診療記録を保存する診療記録データベースを更新する診療記録管理部を有する診療記録送信装置を提供する。
【手続補正８】
【補正対象書類名】明細書
【補正対象項目名】００１２
【補正方法】変更
【補正の内容】
【００１２】
上記の診療記録送信装置は、前記モバイル機器から前記装置情報の登録を要求する登録要求情報を受信すると、前記モバイル機器の受診者情報及び前記装置情報を前記受診者情報データベースに保存する受診者情報管理部をさらに有してもよい。医療機関に設置された状態で前記受診者の操作を受け付ける入力部と、前記受診者に情報を表示する表示部と、をさらに有してもよい。前記表示部は、前記装置情報が前記受診者情報データベースに登録されていない場合に、前記診療記録送信装置が前記受診者に前記装置情報を登録することを誘導する画面を表示してもよい。
【手続補正９】
【補正対象書類名】明細書
【補正対象項目名】００１３
【補正方法】変更
【補正の内容】
【００１３】
本発明の第３態様においては、サーバから取得した診療記録を受診者のモバイル機器に転送するライタソフトウェアがインストールされた診療記録送信装置から受診した前記診療記録を保存する受信診療記録データベースと、前記受信診療記録データベースに保存された前記診療記録を検索し、検索した前記診療記録を表示部に表示させるリーダソフトウェアと、を有する診療記録受信装置を提供する。
【手続補正１０】
【補正対象書類名】明細書
【補正対象項目名】００１４
【補正方法】変更
【補正の内容】
【００１４】
上記の診療記録受信装置は、前記リーダソフトウェアがイントールされていない場合に、前記診療記録送信装置又は所定のサーバから前記リーダソフトウェアをインストールするソフトウェアダウンロード部をさらに有してもよい。
【手続補正１１】
【補正対象書類名】明細書
【補正対象項目名】００１５
【補正方法】変更
【補正の内容】
【００１５】
本発明の第４の態様においては、診療記録を格納した診療記録送信装置と、受診者が自身の前記診療記録を参照するための診療記録受信装置と、を備える診療記録管理システムであって、前記診療記録送信装置は、前記診療記録受信装置を特定するための装置情報が受診者情報データベースに登録されているか否かを確認し、前記装置情報が前記受診者情報データベースに登録されている場合に、前記診療記録送信装置から前記診療記録受信装置に、前記受診者の診療記録を転送した後に、前記受診者の診療記録を転送したことを示す情報を付して、前記診療記録を保存する診療記録データベースを更新する診療記録管理部を有し、前記診療記録受信装置は、前記診療記録送信装置から受診した前記診療記録を保存する受信診療記録データベースと、前記受信診療記録データベースに保存された前記診療記録を検索し、検索した前記診療記録を表示部に表示させるリーダソフトウェアと、を有する診療記録管理システムを提供する。